【手続補正書】
【提出日】平成17年3月10日(2005.3.10)
【手続補正１】
【補正対象書類名】明細書
【補正対象項目名】００６５
【補正方法】変更
【補正の内容】
【００６５】
上記本発明の印画方法を適用した本発明に係るプリンタ装置としては、図１に示すようなプリンタ装置が挙げられる。すなわち、図１に示すように少なくとも、外部より入力されたデジタル画像データ及び／又はアナログ画像信号をアナログ・デジタル変換により第１のデジタル画像データに変換する画像データ入力部１と、上記第１のデジタル画像データに対して少なくとも１回の編集処理を行って編集画像データである第２のデジタル画像データとする編集処理部として機能するデータ加工部５と、上記第１のデジタル画像データ或いは第２のデジタル画像データを画像印画部３において印画するための印画データに変換する印画出力処理を行う印画出力処理部２４と、上記印画データに基づいて記録媒体上に印画出力する画像印画部３よりなる。さらに、上記プリンタ装置においては、外部からの指示に基づいて、上記データ加工部５、印画出力処理部２４、画像印画部３を制御する制御部として機能するヒューマンインターフェース部２８を有し、上記ヒューマンインターフェース部２８においては、データ加工部５を介して印画出力処理部２４と接続され、上記印画出力処理部２４を介して画像印画部３とも接続されることにより、これらの制御が可能となされている。なお、上記データ加工部５には画像メモリ２０が備えられている。
【手続補正２】
【補正対象書類名】明細書
【補正対象項目名】００６９
【補正方法】変更
【補正の内容】
【００６９】
そして、このとき、上記プリンタ装置においては、上記ヒューマンインターフェース部２８が、上記画像印画部３へ印画出力を指示する印画出力指示よりも以前に、上記印画出力処理部２４へ印画出力処理を指示する印画出力処理指示を出して当該印画出力処理部２４に印画出力処理を開始させている。さらに、上記印画出力処理部２４において印画出力処理中に、上記ヒューマンインターフェース部２８が上記データ加工部５に編集処理を指示する編集処理指示を出した場合には、当該ヒューマンインターフェース部２８は、印画出力処理部２４に対しては印画出力処理を中止させる印画出力処理中止指示を出して印画出力処理を中止させるようにしている。
【手続補正３】
【補正対象書類名】明細書
【補正対象項目名】００７３
【補正方法】変更
【補正の内容】
【００７３】
さらにまた、上記プリンタ装置は、第１のデジタル画像データ及び／又は第２のデジタル画像データを表示出力する画像表示出力部２と、上記画像表示出力部２における表示画質を規定する表示出力特性設定を補正する及び／又は上記画像印画部３における印画画質を規定する印画特性設定を補正する後述の表示デバイス処理部２２、映像信号処理部２３、上述の印画出力処理部２４よりなる特性補正部４も備える。このプリンタ装置においては、データ加工部５と特性補正部４により画像処理部６を形成しており、この画像処理部６はヒューマンインターフェース部２８を介して画像表示出力部２と接続されている。なお、上記画像表示出力部２としては表示デバイス１５と外部モニタ等と接続される出力ポート１６を有する。このため、上記ヒューマンインターフェース部２８は、表示デバイス処理部２２、映像信号処理部２３、表示デバイス１５、出力ポート１６も制御することとなる。
【手続補正４】
【補正対象書類名】明細書
【補正対象項目名】００７４
【補正方法】変更
【補正の内容】
【００７４】
すなわち、上記プリンタ装置においては、ヒューマンインターフェース部２８からの指示により、第１のデジタル画像データ及び／又は第２のデジタル画像データを表示デバイス処理部２２により所定の処理を行って表示デバイス１５に表示出力するとともに、映像信号処理部２３により所定の処理を行って出力ポート１６に出力することも可能となされている。
【手続補正５】
【補正対象書類名】明細書
【補正対象項目名】００８１
【補正方法】変更
【補正の内容】
【００８１】
デジタルビデオカメラやアナログ映像信号のように連続した画像、すなわち動画像を入力するときには、動画像をそのまま画像表示出力部２として示す表示デバイス１５又は出力ポート１６に接続される外部モニタへ映像信号として出力しておき、指示デバイス８により使用者が所望の画像を選択する指示を出せば、後述のヒューマンインターフェース部２８の制御により、上記画像データインターフェース部９に選択された動画像をデジタル化した静止画像である画像データとして取り込ませることも可能である。
【手続補正６】
【補正対象書類名】明細書
【補正対象項目名】００８７
【補正方法】変更
【補正の内容】
【００８７】
また、メディア内に複数の画像データがある場合には、順次或いは各画像データを縮小した状態で画像表示出力部２として示す表示デバイス１５又は出力ポート１６に接続されるモニタへ映像信号として出力しておき、指示デバイス８により使用者が所望の画像を選択する指示を出すと、後述のヒューマンインターフェース部２８の制御により、上記リムーバブルメディアドライブ部１０が選択された画像データを画像データ入出力部２７に送って、データ加工部５により所定の処理を行わせることも可能である。反対に、データ加工部５により所定の処理を行った画像データをヒューマンインターフェース部２８の制御により、画像データ入出力部２７を経由して上記リムーバブルメディアドライブ部１０に送り、このリムーバブルメディアドライブ部１０がリムーバブルメディア１７に書き込んで保存することも可能である。
【手続補正７】
【補正対象書類名】明細書
【補正対象項目名】００９１
【補正方法】変更
【補正の内容】
【００９１】
また、フィルム内に複数の画像が記録されている場合には、各々読み取られた画像をそのまま或いは各画像を縮小した状態、或いは読み取り時のピッチを疎状態にした読み取り密度の低い疎読み取りを行った画像として画像表示出力部２として示す表示デバイス１５又は出力ポート１６に接続されるモニタへ映像信号として出力しておき、指示デバイス８により使用者が所望の画像を選択する指示を出すと、後述のヒューマンインターフェース部２８の制御により、上記フィルム読み取り部１１が選択された画像データを画像データ入出力部２７に送って、データ加工部５により所定の処理を行わせることも可能である。なお、上述のように疎読み取りとした場合には、再度通常のピッチでの読み取りが行われる。
【手続補正８】
【補正対象書類名】明細書
【補正対象項目名】００９２
【補正方法】変更
【補正の内容】
【００９２】
このフィルム読み取り部１１内において、フィルムが光電素子の読み取り範囲に対して傾く、或いはフィルム中の画像の構図が好適でない場合には、ヒューマンインターフェース部２８の制御により、使用者の指示やソフトウエアの処理により自動的にフィルムのセッティング位置や光電変換素子の読み取り位置を修正して再度読み取らせることも可能である。
【手続補正９】
【補正対象書類名】明細書
【補正対象項目名】００９４
【補正方法】変更
【補正の内容】
【００９４】
写真用フィルム１８の中でも、特にＡＰＳフィルムを光電変換素子により読み取る場合には、フィルム読み取り部１１内に磁気ヘッドも併設し、読み取り動作と同時にＡＰＳフィルム上に記録されている撮影に関する磁気データを読み取る。この磁気データは画像データに関連した撮影データとしてヒューマンインターフェース部２８の制御により、画像表示出力部２により表示したり、データ加工部５のデータ加工時に使用され、画像データとともに保存される。
【手続補正１０】
【補正対象書類名】明細書
【補正対象項目名】０１０２
【補正方法】変更
【補正の内容】
【０１０２】
上記画像データ入出力部２７においては、画像入力手段７のうち、画像データインターフェース部９とフィルム読み取り部１１からは画像データの受信を行い、リムーバブルメディアドライブ部１０とコンピュータインターフェース部１２に対しては画像データの送受信を行っている。すなわち、上記画像データ入力部１は、データの入出力を行っている。この画像データ入力部１における画像データの送受信のタイミング、画像データの選択等の制御は、使用者の指示に従う場合には、後述のヒューマンインターフェース部１７からの指示に基づいて実行され、自動的に行う場合にはデータ加工部５からの制御に基づいて実行される。
【手続補正１１】
【補正対象書類名】明細書
【補正対象項目名】０１０４
【補正方法】変更
【補正の内容】
【０１０４】
上記表示デバイス１５は、画像データ及び後述のヒューマンインターフェース部２８に関した表示をするフルカラー表示器とその駆動部により主に構成される。このような表示デバイスとしては、液晶パネルに代表されるフラットパネルディスプレイが好ましい。また、動作状態を表すＬＥＤ等からなる１個以上の状態表示器も備えていても良い。
【手続補正１２】
【補正対象書類名】明細書
【補正対象項目名】０１０５
【補正方法】変更
【補正の内容】
【０１０５】
また、上記外部からの指示を入力する入力手段である指示デバイス８としては、マウス、トラックボール、キーボード、上記表示デバイス１５上に設けられたタッチパネル、ペン先で入力するペンタッチ入力パネル等が例示される。そして、後述のヒューマンインターフェース部２８の制御に応じて使用者からの指示が入力される部分である。表示デバイス１５上に設けられたタッチパネルやペンタッチ入力パネルでは、表示デバイス上への操作用キー画像の表示とタッチパネルやペンタッチ入力パネルの表示されたキー画像に対しての入力操作範囲が同一若しくは関連した位置となる。
【手続補正１３】
【補正対象書類名】明細書
【補正対象項目名】０１０７
【補正方法】変更
【補正の内容】
【０１０７】
そして、上記ヒューマンインターフェース部２８であるが、後述の画像処理部６から出力されてきた画像データを表示デバイス１５及び出力ポート１６の画像表示出力部２に出力する機能と指示デバイス８からの使用者による入力指示により画像の選択や画像データの読み出しを行う機能、画像処理部６による画像データの編集・加工・合成・補正を行う時の種々のパラメータの設定を行う機能、特性補正部４による上記画像表示出力部２における表示画質を規定する表示出力特性設定を補正する及び／又は上記画像印画部３における印画画質を規定する印画特性設定を補正する際の設定を行う機能、上記特性補正部４において画像データの補正を行う場合に設定を行う機能、プリント出力指示の他、使用者の指示によるプリンタ装置の制御を行う機能を有する部分である。
【手続補正１４】
【補正対象書類名】明細書
【補正対象項目名】０１０８
【補正方法】変更
【補正の内容】
【０１０８】
上記ヒューマンインターフェース部２８は、画像処理部６で処理された画像表示出力部２の表示デバイス１５及び出力ポート１６用の画像データに、操作に必要なキー表示やスライドボリューム表示、メニュー画面表示等を合成して表示デバイス１５に出力したり、出力ポート１６より外部モニタに出力する。
【手続補正１５】
【補正対象書類名】明細書
【補正対象項目名】０１０９
【補正方法】変更
【補正の内容】
【０１０９】
このような構成であるので、表示デバイス１５に表示する内容と外部モニタに表示する内容を異なるものとすることも可能である。例えば、表示デバイス１５上には画像データとヒューマンインターフェース部２８により合成した画像を表示し、出力ポート１６には画像信号のみを出力して外部モニタに画像データのみを表示しても良い。具体的には、表示デバイス１５には記録媒体の印画範囲全体を表示し、外部モニタには選択された画像データのみを表示する等が挙げられる。
【手続補正１６】
【補正対象書類名】明細書
【補正対象項目名】０１１２
【補正方法】変更
【補正の内容】
【０１１２】
そして、画像処理部６内のデータ加工部５は、指示デバイス８からの使用者の指示をヒューマンインターフェース部２８を介して受け、これに基づき、画像データ入出力部２７からの第１のデジタル画像データに対して、所定の編集、加工、合成、補正や変換を行い、第２のデジタル画像データとする。
【手続補正１７】
【補正対象書類名】明細書
【補正対象項目名】０１１９
【補正方法】変更
【補正の内容】
【０１１９】
そして、画像データ入力部１から入力される第１のデジタル画像データに対して、使用者が所望の編集、加工、合成、補正等の編集を行う場合には、指示デバイス８からの指示に基づいて上記ヒューマンインターフェース部２８の制御で画像表示出力部２への出力表示がなされ、使用者が所望する処理が確認される。
【手続補正１８】
【補正対象書類名】明細書
【補正対象項目名】０１２０
【補正方法】変更
【補正の内容】
【０１２０】
使用者が指示デバイス８より編集処理を指示する編集処理指示を行うと、ヒューマンインターフェース部２８からデータ加工部５に編集処理指示が出され、第１のデジタル画像データに対して使用者が所望する処理が行われて第２のデジタル画像データが生成される。
【手続補正１９】
【補正対象書類名】明細書
【補正対象項目名】０１２４
【補正方法】変更
【補正の内容】
【０１２４】
そして、本例のプリンタ装置においては、上記データ加工部５で生成された第２のデジタル画像データは、ヒューマンインターフェース部２８から画像印画部３に印画出力指示が出される前、すなわち使用者の指示デバイス８による印画出力指示が出される前に、ヒューマンインターフェース部２８からの印画出力処理指示により印画出力処理部２４に送られ、印画出力処理が開始される。
【手続補正２０】
【補正対象書類名】明細書
【補正対象項目名】０１２５
【補正方法】変更
【補正の内容】
【０１２５】
これは、データ加工部５による編集処理を行わなかった場合においても同様であり、画像データ入力部１からの第１のデジタル画像データは、画像表示出力部２に表示されるとともに、ヒューマンインターフェース部２８から画像印画部３に印画出力指示が出される前、すなわち使用者の指示デバイス８による印画出力指示が出される前に、ヒューマンインターフェース部２８からの印画出力処理指示により印画出力処理部２４に送られ、印画出力処理が開始される。
【手続補正２１】
【補正対象書類名】明細書
【補正対象項目名】０１２６
【補正方法】変更
【補正の内容】
【０１２６】
また、本例のプリンタ装置においては、上記印画出力処理部２４において印画出力処理中に、使用者が指示デバイス８により編集処理指示を出した場合には、上記ヒューマンインターフェース部２８は、上記データ加工部５に編集処理を指示する編集処理指示を出すと共に、印画出力処理部２４に対しては印画出力処理を中止させる印画出力処理中止指示を出して印画出力処理を中止させる。
【手続補正２２】
【補正対象書類名】明細書
【補正対象項目名】０１２７
【補正方法】変更
【補正の内容】
【０１２７】
より具体的には、本例のプリンタ装置においては、上記画像データ入力部１における第１のデジタル画像データへの変換終了後において、上記データ加工部５への編集処理指示、或いは上記画像印画部３への印画出力指示が、上記ヒューマンインターフェース部２８から所定の時間内に出されない場合、すなわち、第１のデジタル画像データを画像表示出力部２により表示させたままで、使用者が編集処理指示或いは印画出力指示を出さないまま所定の時間以上過ぎてしまった場合には、上記ヒューマンインターフェース部２８は、上記印画出力処理部２４に印画出力処理指示を出して上記第１のデジタル画像データの印画出力処理を開始させる。
【手続補正２３】
【補正対象書類名】明細書
【補正対象項目名】０１２８
【補正方法】変更
【補正の内容】
【０１２８】
また、上記データ加工部５における所定の編集処理終了後において、上記データ加工部５への次の編集処理指示、或いは上記画像印画部３への印画出力指示が、上記ヒューマンインターフェース部２８から所定の時間内に出されない場合、すなわち、使用者が所定の編集処理を行って第２のデジタル画像データを生成し、これを画像表示出力部２により表示させたままで、使用者が次の編集処理指示或いは印画出力指示を出さないまま所定の時間以上過ぎてしまった場合には、上記ヒューマンインターフェース部２８は、上記印画出力処理部２４に印画出力処理指示を出して上記所定の編集処理により編集処理された第２のデジタル画像データの印画出力処理を開始させる。このようにすれば、無駄に印画出力処理を行うことが極力防止される。
【手続補正２４】
【補正対象書類名】明細書
【補正対象項目名】０１２９
【補正方法】変更
【補正の内容】
【０１２９】
上記次の編集処理指示が、所定の編集処理中において所定の入力動作における変更であり、上記データ加工部５に対して上記ヒューマンインターフェース部２８から所定の時間内に出されない場合、すなわち、使用者が所定の編集処理の入力動作を行っており、入力動作途中で確定を行わずに所定の時間以上過ぎてしまった場合には、当該ヒューマンインターフェース部２８は、上記印画出力処理部２４に印画出力処理指示を出して上記所定の編集処理により編集処理が終了した時点での第２のデジタル画像データの印画出力処理を開始させる。このようにすれば、種々の編集処理行った場合においても、印画出力指示から印画がなされるまでの時間が大幅に短縮される。
【手続補正２５】
【補正対象書類名】明細書
【補正対象項目名】０１３１
【補正方法】変更
【補正の内容】
【０１３１】
また、具体的には、上記ヒューマンインターフェース部２８が、上記データ加工部５と上記印画出力処理部２４を並列に制御しており、上記ヒューマンインターフェース部２８からデータ加工部５への指示の方が印画出力処理部２４への指示よりも優先されており、印画出力処理部２４において印画出力処理中に編集処理指示が出された場合に、印画出力処理が中止されるようにすることが好ましい。
【手続補正２６】
【補正対象書類名】明細書
【補正対象項目名】０１３３
【補正方法】変更
【補正の内容】
【０１３３】
さらに、本例のプリンタ装置においては、上記ヒューマンインターフェース部２８が、上記データ加工部５と上記印画出力処理部２４を並列に制御動作させる動作管理部を有することが好ましい。
【手続補正２７】
【補正対象書類名】明細書
【補正対象項目名】０１３４
【補正方法】変更
【補正の内容】
【０１３４】
そして、上記動作管理部が、上記ヒューマンインターフェース部２８から上記データ加工部５への編集処理指示を検出し、この際に上記印画出力処理部２４が印画出力処理中である場合には、上記ヒューマンインターフェース部２８に印画出力処理部２４に対して印画出力処理中止指示を出させて印画出力処理を中止させることが好ましい。
【手続補正２８】
【補正対象書類名】明細書
【補正対象項目名】０１３８
【補正方法】変更
【補正の内容】
【０１３８】
上記表示デバイス処理部２２は、第１のデジタル画像データ或いは必要に応じて処理がなされた第２のデジタル画像データをヒューマンインターフェース部２８を介して表示デバイス１５に表示させるため、この表示デバイス１５の特性に合わせた補正処理を行う部分である。
【手続補正２９】
【補正対象書類名】明細書
【補正対象項目名】０１３９
【補正方法】変更
【補正の内容】
【０１３９】
また、上記映像信号処理部２３は、第１のデジタル画像データ或いは必要に応じて処理がなされた第２のデジタル画像データをヒューマンインターフェース部２８を介して外部モニタ等の外部接続表示機器に表示させるため、この表示機器の特性、その表示機器に出力する標準的な映像信号の特性に合わせた補正処理を行う部分である。
【手続補正３０】
【補正対象書類名】明細書
【補正対象項目名】０１４０
【補正方法】変更
【補正の内容】
【０１４０】
なお、これら表示デバイス処理部２２及び映像信号処理部２３からヒューマンインターフェース部２８に出力される画像データには、当該ヒューマンインターフェース部２８において他のデータとの合成が行われ、合成された画像データが表示デバイス１５や外部モニタに表示されることもある。この場合、使用者の指示を求める表示や文字、データ加工部５で発生したパターン等と合成することが多い。
【手続補正３１】
【補正対象書類名】明細書
【補正対象項目名】０１４８
【補正方法】変更
【補正の内容】
【０１４８】
次に、上記画像印画部３であるが、プリントヘッド駆動部２６とプリントヘッド２５により主に構成される。使用者が指示デバイス８により所定の画像の印画出力指示を行うと、ヒューマンインターフェース部２８より当該画像印画部３に印画出力指示が出される。このとき、本例のプリンタ装置においては、画像処理部６内の印画出力処理部２４で第１のデジタル画像データ或いは第２のデジタル画像データの少なくとも一部は印画するのに必要な変換補正処理の途中段階にあり、若しくは既になされ、印画データに変換されている。そして、この印画出力処理が終了している場合には、既に得られた印画データが上記プリントヘッド駆動部２６に送られ、印画出力処理が終了していない場合にはプリントヘッド２５による印画動作が可能となる量の印画データが生成された時点で印画データが上記プリントヘッド駆動部２６に送られてくる。
【手続補正３２】
【補正対象書類名】明細書
【補正対象項目名】０１５８
【補正方法】変更
【補正の内容】
【０１５８】
このようなプリントヘッドにより実際に印画を行う場合、例えば以下に示すような動作が行われる。すなわち、先ず、使用者による画像の入力を促すために、ヒューマンインターフェース部２８が表示デバイス１５及び／又は外部モニタに、どの画像入力手段７から画像を入力するかを選択できるような表示を行わせる。これに従って、使用者は印画を希望する画像を取り出すために、指示デバイス８を使用して各種画像入力手段７の中からアクセスする画像入力手段７を選択する。コンピュータインターフェース部１２が選択される場合には、指示デバイス８の代わりにホストコンピュータ１９を用いて選択することも可能である。
【手続補正３３】
【補正対象書類名】明細書
【補正対象項目名】０１６１
【補正方法】変更
【補正の内容】
【０１６１】
そして、上記のようにして補正された画像データを表示デバイス１５や外部モニタに出力し、画像を表示する。画像データ入力部１にアクセス可能な画像データが複数ある場合には、それぞれの画像データを画像データ入出力部２７、画像処理部６を経て表示デバイス１５或いは外部モニタに表示するようにし、使用者に対象とする画像データをヒューマンインターフェース部２８の制御のもと選択するように促しても良い。そして、画像が選択されると、画像メモリ２０に選択された画像データが入力されていない場合には、画像入力手段７をアクセスして画像データが画像処理部６に取り込まれる。
【手続補正３４】
【補正対象書類名】明細書
【補正対象項目名】０１６２
【補正方法】変更
【補正の内容】
【０１６２】
次にヒューマンインターフェース部２８は選択された画像に対して編集処理を行うかどうかを使用者に訊き、使用者が処理を所望する場合には処理の実施を選択し、必要な処理を行わせ、画像処理部６のデータ加工部５中において第２のデジタル画像データを生成する。
【手続補正３５】
【補正対象書類名】明細書
【補正対象項目名】０１６３
【補正方法】変更
【補正の内容】
【０１６３】
そして、このデータ加工部５で生成された第２のデジタル画像データは、ヒューマンインターフェース部２８から画像印画部３に印画出力指示が出される前、すなわち使用者の指示デバイス８による印画出力指示が出される前に、ヒューマンインターフェース部２８からの印画出力処理指示により印画出力処理部２４に送られ、印画出力処理が開始される。
【手続補正３６】
【補正対象書類名】明細書
【補正対象項目名】０１６４
【補正方法】変更
【補正の内容】
【０１６４】
これは、データ加工部５による編集処理を行わなかった場合においても同様であり、画像データ入出力部２７からの第１のデジタル画像データは、画像表示出力部２に表示されるとともに、ヒューマンインターフェース部２８から画像印画部３に印画出力指示が出される前、すなわち使用者の指示デバイス８による印画出力指示が出される前に、ヒューマンインターフェース部２８からの印画出力処理指示により印画出力処理部２４に送られ、印画出力処理が開始される。
【手続補正３７】
【補正対象書類名】明細書
【補正対象項目名】０１６５
【補正方法】変更
【補正の内容】
【０１６５】
また、本例のプリンタ装置においては、上記印画出力処理部２４において印画出力処理中に、使用者が指示デバイス８により編集処理指示を出した場合には、上記ヒューマンインターフェース部２８は、上記データ加工部５に編集処理を指示する編集処理指示を出すと共に、印画出力処理部２４に対しては印画出力処理を中止させる印画出力処理中止指示を出して印画出力処理を中止させる。
【手続補正３８】
【補正対象書類名】明細書
【補正対象項目名】０１６６
【補正方法】変更
【補正の内容】
【０１６６】
より具体的には、本例のプリンタ装置においては、上記画像データ入力部１における第１のデジタル画像データへの変換終了後において、上記データ加工部５への編集処理指示、或いは上記画像印画部３への印画出力指示が、上記ヒューマンインターフェース部２８から所定の時間内に出されない場合、すなわち、第１のデジタル画像データを画像表示出力部２により表示させたままで、使用者が編集処理指示或いは印画出力指示を出さないまま所定の時間以上過ぎてしまった場合には、上記ヒューマンインターフェース部２８は、上記印画出力処理部２４に印画出力処理指示を出して上記第１のデジタル画像データの印画出力処理を開始させる。このようにすれば、印画出力指示から印画がなされるまでの時間が大幅に短縮され、印画に要する時間が大幅に短縮される。特に、従来において待機状態とされていた時間に、印画出力処理を行うこととなり、プリンタ装置の処理能力が十分に活用される。
【手続補正３９】
【補正対象書類名】明細書
【補正対象項目名】０１６７
【補正方法】変更
【補正の内容】
【０１６７】
また、上記データ加工部５における所定の編集処理終了後において、上記データ加工部５への次の編集処理指示、或いは上記画像印画部３への印画出力指示が、上記ヒューマンインターフェース部２８から所定の時間内に出されない場合、すなわち、使用者が所定の編集処理を行って第２のデジタル画像データを生成し、これを画像表示出力部２により表示させたままで、使用者が次の編集処理指示或いは印画出力指示を出さないまま所定の時間以上過ぎてしまった場合には、上記ヒューマンインターフェース部２８は、上記印画出力処理部２４に印画出力処理指示を出して上記所定の編集処理により編集処理された第２のデジタル画像データの印画出力処理を開始させる。このようにすれば、無駄に印画出力処理を行うことが極力防止される。
【手続補正４０】
【補正対象書類名】明細書
【補正対象項目名】０１６８
【補正方法】変更
【補正の内容】
【０１６８】
上記次の編集処理指示が、所定の編集処理中において所定の入力動作における変更であり、上記データ加工部５に対して上記ヒューマンインターフェース部２８から所定の時間内に出されない場合、すなわち、使用者が所定の編集処理の入力動作を行っており、入力動作途中で確定を行わずに所定の時間以上過ぎてしまった場合には、当該ヒューマンインターフェース部２８は、上記印画出力処理部２４に印画出力処理指示を出して上記所定の編集処理により編集処理が終了した時点での第２のデジタル画像データの印画出力処理を開始させる。このようにすれば、種々の編集処理を行った場合においても、印画出力指示から印画がなされるまでの時間が大幅に短縮される。
【手続補正４１】
【補正対象書類名】明細書
【補正対象項目名】０１６９
【補正方法】変更
【補正の内容】
【０１６９】
また、具体的には、上記ヒューマンインターフェース部２８が、上記データ加工部５と上記印画出力処理部２４を並列に制御しており、上記ヒューマンインターフェース部２８からデータ加工部５への指示の方が印画出力処理部２４への指示よりも優先されており、印画出力処理部２４において印画出力処理中に編集処理指示が出された場合に、印画出力処理が中止されるようにすることが好ましい。このようにすれば、印画出力処理が編集処理を妨げることがなく、使用者からの指示に基づいた編集処理が円滑に実行される。
【手続補正４２】
【補正対象書類名】明細書
【補正対象項目名】０１７３
【補正方法】変更
【補正の内容】
【０１７３】
さらに、指示デバイス８として、本例のプリンタ装置上に配されて使用者の入力操作を可能とする複数のキー３８ａや、表示デバイス１５として配される液晶モニタ４５ａ上に形成され、ペン状の先細形状の入力装置で使用者の入力操作を可能とするペンタッチ入力デバイス３８ｂを有し、後述のヒューマンインターフェース部２８に対応する回路に入力するための指示デバイスインターフェース回路３８ｃを有する。この指示デバイスインターフェース回路３８ｃは、チャタリング現象等に起因する誤入力を防止し、一定時間、キー３８ａ或いはペンタッチ入力デバイス３８ｂの同一部分が連続して押圧されると、複数回その操作がなされたものとみなし、その回数分だけ後述のヒューマンインターフェース部２８に対応する回路に入力を伝達する。ここで、本例のプリンタ装置においては、使用者がキー３８ａやペンタッチ入力デバイス３８ｂにより何らかの指示を出す入力操作をした場合に、図２中に示すように後述のヒューマンインターフェース部２８に対応する回路（システム制御ＣＰＵ６１）にインタラプト信号を出力して入力を伝達するようにしても良い。
【手続補正４３】
【補正対象書類名】明細書
【補正対象項目名】０１７４
【補正方法】変更
【補正の内容】
【０１７４】
さらにまた、画像表示出力部２の表示デバイス１５に対応するものとして、ここでは液晶モニタ４５ａが配され、画像メモリ２０中の画像データが転送され、転送された画像データと後述のヒューマンインターフェース部２８に対応する回路からの表示制御信号に基づき、液晶モニタ４５ａ上に表示するメニュー画面やペンタッチ入力デバイス用操作表示画面を合成し、液晶モニタ４５ａに表示可能な駆動信号に変換する表示デバイス出力回路４５ｂも有する。
【手続補正４４】
【補正対象書類名】明細書
【補正対象項目名】０１７５
【補正方法】変更
【補正の内容】
【０１７５】
さらに、画像メモリ２０から転送された画像データと後述のヒューマンインターフェース部２８に対応する回路からの表示制御信号に基づき、外部モニタ上に表示するメニュー画面やペンタッチ入力デバイス用操作表示画面を合成し、外部モニタに表示可能な標準映像信号としての例えばＮＴＳＣ信号に変換する映像信号出力回路４６も有する。この場合、上記液晶モニタ４５ａと外部モニタに表示される画像は同一であっても異なっていても良い。
【手続補正４５】
【補正対象書類名】明細書
【補正対象項目名】０１７７
【補正方法】変更
【補正の内容】
【０１７７】
また、このプリンタ装置においては、システムＲＯＭ６２やフラッシュメモリ６３内の制御ソフトウエアによりワーキングＲＡＭ６４を使用するシステム制御ＣＰＵ６１を有し、これがプリンタ装置全体の制御を行っており、前述のヒューマンインターフェース部２８に対応する回路としても機能している。
【手続補正４６】
【補正対象書類名】明細書
【補正対象項目名】０２７２
【補正方法】変更
【補正の内容】
【０２７２】
なお、ステップＳ２５において印画出力処理中であっても、先に述べたインタラプト信号の変化或いは一定時間毎にポーリング動作により編集処理指示の有無を検出し、編集処理指示がなされた場合には、ステップＳ１６に戻る。
【手続補正４７】
【補正対象書類名】明細書
【補正対象項目名】０２７５
【補正方法】変更
【補正の内容】
【０２７５】
また、例えば、最初の処理時に編集処理を選択したものの、全く編集処理を実施しない場合でも、ステップＳ２５において第１のデジタル画像データを印画データに変換する印画出力処理を実行し、そして印画出力処理の途中又はステップＳ２５の印画出力処理終了後に印画を実行することが指示されると、ステップＳ２４において印画指示がなされたと判断し、ステップＳ２６において残りの印画出力処理及び印画条件に基づく補正処理を行い、ステップＳ２７において印画がなされる。
【手続補正４８】
【補正対象書類名】明細書
【補正対象項目名】０２７６
【補正方法】変更
【補正の内容】
【０２７６】
そして、画像の印画を続行する場合には、ステップＳ２８において画像データを入力する画像入力手段或いは外部接続機器の選択を行うかどうかが判断される。ここで、何等かの選択を行えば、図１１に示すように例えばステップＳ４において画像データインターフェース部を駆動されて、前述したような処理が続行される。このとき、選択を行わない場合には、図１１に示すように、ステップＳ１５において、これまで編集処理等を行ってきた画像データに対して再度編集処理を行うかどうかが確認される。
【手続補正４９】
【補正対象書類名】明細書
【補正対象項目名】符号の説明
【補正方法】変更
【補正の内容】
【符号の説明】
１ 画像データ入力部、２ 画像表示出力部、３ 画像印画部、５ データ加工部、６ 画像処理部、８ 指示デバイス、１５ 表示デバイス、２８ ヒューマンインターフェース部、２０ 画像メモリ、２２ 表示デバイス処理部、２４印画出力処理部、２５ プリントヘッド、２６ プリントヘッド駆動部
【手続補正５０】
【補正対象書類名】図面
【補正対象項目名】図１
【補正方法】変更
【補正の内容】
【図１】
2000033743.tif 000001
【手続補正５１】
【補正対象書類名】図面
【補正対象項目名】図１６
【補正方法】変更
【補正の内容】
【図１６】
2000033743.tif 000002
【手続補正５２】
【補正対象書類名】図面
【補正対象項目名】図１８
【補正方法】変更
【補正の内容】
【図１８】
2000033743.tif 000003